(57)【要約】【課題】  原稿を反転させる反転パスを用いて両面を読み取る両面読み取りと、原稿を反転させずに原稿の表面、裏面を読み取ることのできる両面読み取りとが可能な読み取り装置にあって、両者の読み取りによる出力画像のレジ位置を合わせる。【解決手段】  原稿束を載置する原稿トレイ１１と、原稿トレイ１１から給紙された原稿を搬送する第１搬送路３１と、第１搬送路３１の一方の側から原稿の第１面の画像を読み取るスキャナ装置７０と、第１搬送路３１の他方の側から原稿の第２面の画像を読み取るＣＩＳ５０と、スキャナ装置７０を複数回用いて原稿の表裏両面を読み取る第１の読み取りモード、スキャナ装置７０とＣＩＳ５０を用いて原稿の表裏両面を読み取る第２の読み取りモードに対応可能に構成され、第１の読み取りモードと第２の読み取りモードとで原稿の表裏両面を読み取った場合の出力画像のレジ位置を同じくする画像処理装置１００とを備えた。【選択図】        図１
2005039761.tif 000002
【特許請求の範囲】
【請求項１】
原稿を給紙する給紙部と、
前記給紙部により給紙された前記原稿が搬送される搬送路と、
前記搬送路の一方の側から前記原稿の第１面の画像を読み取る第１のセンサと、
前記搬送路の他方の側から前記原稿の第２面の画像を読み取る第２のセンサと、
前記第１のセンサを複数回用いて前記原稿の表裏両面を読み取る第１の読み取りモードと、当該第１のセンサおよび前記第２のセンサを用いて当該原稿の表裏両面を読み取る第２の読み取りモードとに対応可能に構成され、当該第１の読み取りモードにて当該原稿の表裏両面を読み取った場合と当該第２の読み取りモードにて当該原稿の表裏両面を読み取った場合とで出力画像のレジストレーション位置方向を同じくする画像処理部と
を含む画像読み取り装置。
【請求項２】
前記画像処理部は、前記第１の読み取りモードおよび/または前記第２の読み取りモードにて読み取られた画像に対して、１８０°ローテーション、主走査方向鏡像、および副走査方向鏡像の少なくとも何れか１つの画像処理を施すことを特徴とする請求項１記載の画像読み取り装置。
【請求項３】
前記第１のセンサにより読み取られた第１面の画像を格納する第１のメモリと、
前記第２のセンサにより得られた第２面の画像を格納する第２のメモリとを更に備え、
前記画像処理部は、前記第１のメモリおよび/または前記第２のメモリを用いてレジストレーション位置方向の合わせ処理を行うことを特徴とする請求項１記載の画像読み取り装置。
【請求項４】
原稿における第１面の画像データを読み取る第１の読み取り手段と、
前記第１の読み取り手段により前記原稿の第１面の画像データを読み取る際に当該原稿を反転させずに当該原稿の第２面の画像データを読み取る第２の読み取り手段と、
前記第２の読み取り手段により読み取られた前記第２面の画像データの向きを前記第１の読み取り手段により読み取られた前記第１面の画像データの向きに合わせて出力する出力手段と
を含む画像読み取り装置。
【請求項５】
前記第２の読み取り手段により読み取られた前記第２の画像データを格納する格納手段と、
前記格納手段に格納された前記第２の画像データに対して、回転処理および/または鏡像処理を施す画像処理手段と、
を更に含む請求項４記載の画像読み取り装置。
【請求項６】
前記第１の読み取り手段を用いて前記原稿における前記第１面の画像データが読み取られた後、当該原稿を反転させて搬送する反転搬送手段を更に備え、
前記第１の読み取り手段は、前記反転搬送手段により搬送された前記原稿の前記第２面の画像データを読み取ることが可能であり、
前記出力手段は、前記第１の読み取り手段により前記第２面の画像データが読み取られた場合と、前記第２の読み取り手段により前記第２面の画像データが読み取られた場合とでレジストレーション位置を合わせて出力することを特徴とする請求項４記載の画像読み取り装置。
【請求項７】
第１の方向から原稿の第１面の画像データを読み取る第１の読み取り手段と、
前記第１の読み取り手段による前記第１の方向とは異なる第２の方向から前記原稿における第２面の画像データを読み取る第２の読み取り手段と、
前記原稿における前記第１面の読み取りと同様に前記第１の方向から前記第２面の画像データが読み取られた場合に得られるであろう向きに合わせて、前記第２の読み取り手段により読み取られた前記第２面の画像データに対して画像処理を施す処理手段と
を含む画像読み取り装置。
【請求項８】
前記第２の読み取り手段により読み取られた前記第２面の画像データを格納する格納手段を更に備え、
前記格納手段は、前記処理手段によって１８０°ローテーション、主走査方向鏡像、および副走査方向鏡像の何れか１つの処理がなされた前記画像データを格納することを特徴とする請求項７記載の画像読み取り装置。
【請求項９】
原稿における第１面の画像データを入力すると共に、当該第１面の画像データに対する入力が完了する前に当該原稿における第２面の画像データを入力する入力手段と、
前記入力手段により入力された前記第１面の画像データおよび/または前記第２面の画像データに対して、各々の向きを合わせて出力できるように所定の画像処理を施す処理手段と、
前記処理手段により前記画像処理が施された前記第１面の画像データおよび前記第２面の画像データを出力する出力手段と
を含む画像処理装置。
【請求項１０】
前記処理手段は、前記第１面の画像データおよび前記第２面の画像データを各々処理する画像処理部と、当該第１面の画像データおよび当該第２面の画像データを各々格納するメモリと、当該メモリへの書き込み/読み出しを制御するメモリコントローラとを含む請求項９記載の画像処理装置。
【請求項１１】
搬送される原稿の第１面の画像データを入力すると共に、搬送される当該原稿を反転させずに読み取られた第２面の画像データを入力し、
読み取られた前記第２面の画像データに回転処理および/または鏡像処理を施して、前記第１面の出力画像データにおける向きに合わせて当該第２面の画像データを出力することを特徴とする両面読み取り画像のレジストレーション位置合わせ方法。
【請求項１２】
入力された前記第２面の画像データをメモリに格納し、
前記メモリに格納された前記第２面の画像データに対して前記回転処理および/または前記鏡像処理を施すことを特徴とする請求項１１記載の両面読み取り画像のレジストレーション位置合わせ方法。
【請求項１３】
原稿を搬送する搬送路の一方の側から前記原稿の第１面の画像を読み取る第１のセンサと、当該搬送路の他方の側から当該原稿の第２面の画像を読み取る第２のセンサとを備え、
当該第１のセンサを複数回用いて当該原稿の表裏両面を読み取る第１の読み取りモードと、当該第１のセンサおよび当該第２のセンサを用いて当該原稿の表裏両面を読み取る第２の読み取りモードとを有し、
前記第１の読み取りモードにて前記原稿の表裏両面を読み取った場合と前記第２の読み取りモードにて当該原稿の表裏両面を読み取った場合とで出力画像のレジストレーション位置を揃えることを特徴とする両面読み取り画像のレジストレーション位置合わせ方法。
【請求項１４】
原稿を給紙する給紙部と、
前記給紙部により給紙された前記原稿が搬送される搬送路と、
前記搬送路の一方の側から前記原稿の第１面の画像を読み取る第１のセンサと、
前記搬送路の他方の側から前記原稿の第２面の画像を読み取る第２のセンサと、
前記第１のセンサを複数回用いて前記原稿の表裏両面を読み取る第１の読み取りモードと、当該第１のセンサおよび前記第２のセンサを用いて当該原稿の表裏両面を読み取る第２の読み取りモードとを選択すると共に、拡大処理を指示するコントローラと、
前記コントローラにより前記第２の読み取りモードが選択され、前記拡大処理が指示された際に、読み取られた表裏両面に対する出力画像のレジストレーション位置方向を同じくする処理を実行する画像処理部とを含む画像読み取り装置。
【請求項１５】
前記コントローラは、拡大率が所定の値以下である場合に、前記画像処理部に対して１８０°ローテーションによるレジストレーション位置方向の合わせを実行させることを特徴とする請求項１４記載の画像読み取り装置。
【請求項１６】
前記所定の値は２００％の拡大率であることを特徴とする請求項１５記載の画像読み取り装置。
【請求項１７】
前記コントローラは、拡大率が所定の値を超え且つレジストレーション位置方向の合わせが必要であるときに前記第１の読み取りモードを選択することを特徴とする請求項１４記載の画像読み取り装置。
【請求項１８】
原稿における第１面の画像データを読み取る第１の読み取り手段と、
前記第１の読み取り手段により前記原稿の第１面の画像データを読み取る際に当該原稿を反転させずに当該原稿の第２面の画像データを読み取る第２の読み取り手段と、
前記第１の読み取り手段により読み取られた前記第１面の画像データおよび前記第２の読み取り手段により読み取られた前記第２面の画像データに対して拡大処理を施す拡大処理手段と、
前記拡大処理手段により拡大処理がなされた前記第２面の画像データを格納するメモリを用いて当該第２面の画像データに対して回転処理を施し、当該第２面の画像データの向きを前記第１の読み取り手段により読み取られた前記第１面の画像データの向きに合わせるレジストレーション位置合わせ手段と
を含む画像読み取り装置。
【請求項１９】
前記拡大処理手段による拡大率が所定の値以下である場合に、前記レジストレーション位置合わせ手段による回転処理が可能であることを特徴とする請求項１８記載の画像読み取り装置。
【請求項２０】
前記拡大処理手段による拡大率が所定の値を超え、且つレジストレーション位置方向の合わせを行う場合に、原稿を反転させ前記第１の読み取り手段を用いて表裏両面の画像データを順次読み取ることを特徴とする請求項１８記載の画像読み取り装置。
【発明の詳細な説明】
【技術分野】
【０００１】
本発明は、原稿画像を読み取る画像読み取り装置等に関し、より詳しくは、表裏両面の原稿画像を読み取ることができる画像読み取り装置等に関する。
【背景技術】
【０００２】
従来、複写機やファクシミリ等の読み取り装置、コンピュータ入力用のスキャナ等として、原稿における表裏両面の画像情報をユーザの介在なしに自動的に読み取る画像読み取り装置(自動両面読み取り装置)が用いられている。これらの自動両面読み取り装置としては、原稿反転部にて原稿を表裏反転させて読み取る方法が最も広く採用されている。表裏反転させて画像情報を入力する際には、特定の原稿読み取り部で表面の画像を読み取った後、この原稿を表裏反転させて再びこの特定の原稿読み取り部に搬送し、裏面の画像が読み取られる。
【０００３】
しかし、この表裏反転による自動両面読み取りでは、一旦、原稿を排出した後に反転させて再度、原稿読み取り部に搬送する必要があることから、両面読み取りに際して時間が多くかかり、両面読み取りの生産性が劣ってしまう。そこで、原稿を搬送する原稿パスの表裏両面側に２つのイメージセンサを設け、原稿を表裏反転させることなく、１回の原稿搬送にて原稿の両面を自動的に読み取る技術が検討されている(例えば、特許文献１参照)。
【０００４】
ここで、一般に、原稿の読み取りに際しては、例えば、蛍光灯を光源とする光を原稿に照射させ、縮小光学系を介してその反射光を光センサで読み取る方式が採用されている。かかる方式における光センサには、例えば１次元のＣＣＤ(Charge Coupled Device)センサが用いられ、このようなＣＣＤを用いてライン単位での読み取りが実行されている。１次元のＣＣＤを用いた原稿読み取り装置では、このライン方向(スキャンの主走査方向)の１ラインの読み取りが終了すると、原稿を主走査方向とは直交する方向(副走査方向)に微小距離移動し、次のラインを読み取っている。これを原稿サイズ全体に亘って繰り返し、１ページの原稿読み取りを完了させている。
【０００５】
このような読み取り方式では、光源を原稿に当てその反射光を幾つかのミラーを用いた縮小光学系を介したＣＣＤセンサで読み取る必要があることから、ユニット全体が大きくなりがちであった。特に、原稿を反転させずに両面を読み取るために複数のイメージセンサを設ける必要があるが、上述したような機構を有するＣＣＤセンサを複数、設けることは、スペース上の問題から難しい。そこで、かかるスペース上の問題を解決するために、例えば形状の小さいＬＥＤ(Light Emitting Diode：発光ダイオード)を光源に利用し、例えばセルフォックレンズを介してリニアセンサで画像を直接、読み取る、ＣＩＳ(Contact Image Sensor)と呼ばれるイメージセンサを用いることが検討されている。
【０００６】
しかしながら、縮小光学系を用いたＣＣＤセンサによる読み取りとＣＩＳによる読み取りとの両者を用いて原稿の両面を同時に読み取ろうとする場合には、光源の差や被写界深度の違い等の理由により、ＣＣＤセンサ側とＣＩＳ側とで画質を完全に合わせることが難しくなる。このような画質合わせの問題は、特に、カラー画像にて顕著に現れる。その中でも、例えば、カラー色が少ない(プラスワンカラー等)ようなものや、所謂ビジネスカラー的なものではそれほど大きな問題とはならないが、画質が重視されるカタログ画像や写真画像等では、画質のずれが目立つことも予想される。
【０００７】
そこで発明者等は、縮小光学系を用いたＣＣＤセンサおよび縮小光学系を用いないＣＩＳの２つの画像読み取り部と、原稿の反転機構(反転パス)との両機能を設けた原稿読み取り装置を検討している。この原稿読み取り装置によれば、搬送路における反転機構(反転パス)を用いて同一のセンサで表裏両面を読み取る反転両面読み取りモードと、ＣＣＤセンサ側とＣＩＳ側との両者のセンサを用いて原稿を反転せずに読み取る両面同時読み取りモードとの両者を選択することができる。例えば、表裏の画質を均一化するためには、反転両面読み取りモードを選択し、例えば、読み取りの生産性(スピード)を重視する場合には、両面同時読み取りモードを選択する等、ユーザの使い勝手に応じて最適なモードを選択することができる。
【０００８】
【特許文献１】特開２０００−３５６８６７号公報(第５頁、図１)
【発明の開示】
【発明が解決しようとする課題】
【０００９】
しかしながら、このような反転両面読み取りモードと両面同時読み取りモードとでは、読み取り開始となるレジストレーション(レジ)位置が表面および裏面で異なってくる。反転両面読み取りモードによって両面原稿を複写した場合の裏面出力画像は、表面読み取りと同じレジストレーション位置となるが、両面同時読み取りモードによって両面複写した場合の裏面出力画像は、裏面専用のセンサによるレジストレーション位置となり、両者のレジストレーション位置に異なりが生じる。このことは、同一原稿にも関わらず、読み取り方法によって出力画像方向が違うこととなり、ユーザに対して違和感を与えてしまう。
【００１０】
本発明は、以上のような技術的課題を解決するためになされたものであって、その目的とするところは、原稿を反転させる反転パスを用いて両面を読み取る両面読み取りと、原稿を反転させずに原稿の表面、裏面を読み取ることのできる両面読み取りとが可能な読み取り装置にあって、両者の読み取りによる出力画像におけるレジストレーションの位置方向を合わせることにある。
また他の目的は、反転させずに原稿の表面、および裏面を読み取ることのできる両面同時読み取りにおいて、原稿の表裏における出力画像におけるレジストレーションの位置方向を最適化することにある。
【課題を解決するための手段】
【００１１】
かかる目的のもと、本発明が適用される画像読み取り装置は、原稿束から原稿を給紙する給紙部と、この給紙部により給紙された原稿を搬送する搬送路と、搬送路の一方の側から原稿の第１面の画像を読み取る第１のセンサと、搬送路の他方の側から原稿の第２面の画像を読み取る第２のセンサと、この第１のセンサを複数回用いて原稿の表裏両面を読み取る第１の読み取りモードと、第１のセンサおよび第２のセンサを用いて原稿の表裏両面を読み取る第２の読み取りモードとに対応可能に構成され、第１の読み取りモードにて原稿の表裏両面を読み取った場合と第２の読み取りモードにて原稿の表裏両面を読み取った場合とで出力画像のレジストレーション位置(レジ位置)方向を同じくする(向きを同じくする)画像処理部とを含む。
【００１２】
ここで、この画像処理部は、第１の読み取りモードおよび/または第２の読み取りモードにて読み取られた画像に対して、１８０°ローテーション、主走査方向鏡像、および副走査方向鏡像の少なくとも何れか１つの画像処理を施すことを特徴としている。また、第１のセンサにより読み取られた第１面の画像を格納する第１のメモリと、第２のセンサにより得られた第２面の画像を格納する第２のメモリとを更に備え、画像処理部は、この第１のメモリおよび/または第２のメモリを用いてレジストレーション位置合わせ処理を行うことを特徴としている。
【００１３】
尚、本件発明の「レジストレーション位置方向を同じくする」は、位置がずれているか否かを問題とせず、厳密にドット等の位置までを同じくすることを意味するものではなく、例えば用紙に対して画像を出力する際に、その画像面のプリント方向、向きが同一であるという意味である。以下、位置の「合わせ」という場合もプリント方向、向きが同一という意味に用いている。また、この画像処理部には、上記の第１のメモリ、第２のメモリをコントロールするメモリコントローラを含めることも可能である。
【００１４】
また、他の観点から把えると、本発明が適用される画像読み取り装置は、原稿における第１面の画像データを第１の読み取り手段により読み取り、この第１の読み取り手段により原稿の第１面の画像データを読み取る際に原稿を反転させずに原稿の第２面の画像データを第２の読み取り手段により読み取る。そして、この第２の読み取り手段により読み取られた第２面の画像データの向きを第１の読み取り手段により読み取られた第１面の画像データの向きに合わせて出力手段により出力している。
【００１５】
ここで、この第２の読み取り手段により読み取られた第２の画像データを格納手段に格納し、この格納手段に格納された第２の画像データに対して、画像処理手段により回転処理および/または鏡像処理を施す。また、第１の読み取り手段を用いて原稿における第１面の画像データが読み取られた後、この原稿を反転させて搬送する反転搬送手段を更に備え、この第１の読み取り手段は、反転搬送手段により搬送された原稿の第２面の画像データを読み取ることが可能であり、出力手段は、第１の読み取り手段により第２面の画像データが読み取られた場合と、第２の読み取り手段により第２面の画像データが読み取られた場合とでレジストレーション位置を合わせて出力することを特徴とする。これによれば、どちらの機能を使用して両面原稿を読み取ったとしても、出力用紙搬送方向に対して同一画像を出力することができる点から好ましい。
【００１６】
更に他の観点から把えると、本発明が適用される画像読み取り装置は、第１の読み取り手段により、第１の方向から原稿の第１面の画像データを読み取り、この第１の読み取り手段による第１の方向とは異なる第２の方向から、第２の読み取り手段により原稿における第２面の画像データを読み取る。そして、原稿における第１面の読み取りと同様に第１の方向から第２面の画像データが読み取られた場合に得られるであろう向きに合わせて、第２の読み取り手段により読み取られた第２面の画像データに対して処理手段により画像処理を施している。
【００１７】
ここで、この第２の読み取り手段により読み取られた第２面の画像データを格納する格納手段を更に備え、この格納手段は、処理手段によって１８０°ローテーション、主走査方向鏡像、および副走査方向鏡像の何れか１つの処理がなされた画像データを格納することを特徴としている。
【００１８】
一方、本発明が適用される画像処理装置は、原稿における第１面の画像データを入力すると共に、この第１面の画像データに対する入力が完了する前に原稿における第２面の画像データを入力する入力手段と、この入力手段により入力された第１面の画像データおよび/または第２面の画像データに対して、各々の向きを合わせて出力できるように所定の画像処理を施す処理手段と、この処理手段により画像処理が施された第１面の画像データおよび第２面の画像データを出力する出力手段とを含む。ここで、この処理手段は、第１面の画像データおよび第２面の画像データを各々処理する画像処理部と、この第１面の画像データおよび第２面の画像データを各々格納するメモリと、このメモリへの書き込み/読み出しを制御するメモリコントローラとを含む。
【００１９】
また、本発明が適用される両面原稿のレジストレーション位置合わせ方法は、搬送される原稿の第１面の画像データを入力すると共に、搬送される原稿を反転させずに読み取られた第２面の画像データを入力し、読み取られた第２面の画像データに回転処理および/または鏡像処理を施して、第１面の出力画像データにおける向きに合わせて第２面の画像データを出力する。更に、入力された第２面の画像データをメモリに格納し、このメモリに格納された第２面の画像データに対して回転処理および/または鏡像処理を施すことを特徴とすることができる。
【００２０】
更に他の観点から把えると、本発明が適用される両面原稿のレジストレーション位置合わせ方法は、原稿を搬送する搬送路の一方の側から原稿の第１面の画像を読み取る第１のセンサと、この搬送路の他方の側から原稿の第２面の画像を読み取る第２のセンサとを備え、この第１のセンサを複数回用いて原稿の表裏両面を読み取る第１の読み取りモードと、第１のセンサおよび第２のセンサを用いて原稿の表裏両面を読み取る第２の読み取りモードとを有し、この第１の読み取りモードにて原稿の表裏両面を読み取った場合と第２の読み取りモードにて原稿の表裏両面を読み取った場合とで出力画像のレジストレーション位置を揃えることを特徴としている。尚、これらのモードの切り替えは、ユーザの指示(選択)により、また、選択される出力画像の品質、白黒画像かカラー画像か等によって決定するように構成することもできる。
【００２１】
しかして、本発明が適用される画像読み取り装置は、原稿を給紙する給紙部と、この給紙部により給紙された原稿が搬送される搬送路と、搬送路の一方の側から原稿の第１面の画像を読み取る第１のセンサと、搬送路の他方の側から原稿の第２面の画像を読み取る第２のセンサと、第１のセンサを複数回用いて原稿の表裏両面を読み取る第１の読み取りモードと、第１のセンサおよび第２のセンサを用いて原稿の表裏両面を読み取る第２の読み取りモードとを選択すると共に拡大処理を指示するコントローラと、このコントローラにより第２の読み取りモードが選択され、拡大処理が指示された際に、読み取られた表裏両面に対する出力画像のレジストレーション位置方向を同じくする処理を実行する画像処理部とを含む。
【００２２】
ここで、このコントローラは、拡大率が所定の値以下である場合に、画像処理部に対して１８０°ローテーションによるレジストレーション位置方向の合わせを実行させる。この「所定の値」とは、原稿の用紙定形サイズである２００％の拡大率であることを特徴とすることができる。
また、このコントローラは、拡大率が所定の値を超え且つレジストレーション位置合わせが必要であるときに第１の読み取りモードを選択することを特徴とすれば、メモリ容量が不足している場合であってもレジストレーション位置方向の合わせが可能となる点で好ましい。
【００２３】
また、他の観点から把えると、本発明が適用される画像読み取り装置は、第１の読み取り手段により読み取られた第１面の画像データおよび第２の読み取り手段により読み取られた第２面の画像データに対して拡大処理を施す拡大処理手段と、この拡大処理手段により拡大処理がなされた第２面の画像データを格納するメモリを用いて第２面の画像データに対して回転処理を施し、第２面の画像データの向きを第１の読み取り手段により読み取られた第１面の画像データの向きに合わせるレジストレーション位置合わせ手段とを含む。
【００２４】
ここで、この拡大処理手段による拡大率が所定の値以下である場合に、レジストレーション位置合わせ手段による回転処理が可能であることを特徴とすることができる。
また、この拡大処理手段による拡大率が所定の値を超え、且つレジストレーション位置合わせを行う場合に、原稿を反転させ第１の読み取り手段を用いて表裏両面の画像データを順次読み取ることを特徴とすることができる。
【発明の効果】
【００２５】
本発明によれば、反転させずに原稿の表面、および裏面を読み取ることのできる両面同時読み取りにおいて、原稿の表裏における出力画像のレジストレーション位置の方向を最適化することができる。
【発明を実施するための最良の形態】
【００２６】
〔実施の形態１〕
以下、添付図面に示す実施の形態に基づいて、本発明を詳細に説明する。
図１は本実施の形態が適用される画像読み取り装置を示した図である。この画像読み取り装置は、積載された原稿束から原稿を順次、搬送する原稿送り装置１０、スキャンによって画像を読み込むスキャナ装置７０、読み込まれた画像信号を処理する処理装置８０、および処理装置８０からの出力に対して画像処理を施す画像処理装置１００に大別される。
【００２７】
原稿送り装置１０は、給紙部の構成要素の一例として、複数枚の原稿からなる原稿束を積載する原稿トレイ１１、原稿トレイ１１を上昇および下降させるトレイリフタ１２を備えている。また、トレイリフタ１２により上昇された原稿トレイ１１の原稿を搬送するナジャーロール１３、ナジャーロール１３により搬送された原稿を更に下流側まで搬送するフィードロール１４、ナジャーロール１３により供給される原稿を１枚づつ捌くリタードロール１５を備えている。最初に原稿が搬送される第１搬送路３１には、一枚づつに捌かれた原稿を下流側のロールまで搬送するテイクアウェイロール１６、原稿を更に下流側のロールまで搬送すると共にループ作成を行うプレレジロール１７、一旦、停止した後にタイミングを合わせて回転を再開し、原稿読み取り部に対してレジストレーション調整を施しながら原稿を供給するレジロール１８、読み込み中の原稿搬送をアシストするプラテンロール１９、読み込まれた原稿を更に下流に搬送するアウトロール２０を備えている。また、第１搬送路３１には、搬送される原稿のループ状態に応じて支点を中心として回動するバッフル４１を備えている。更に、プラテンロール１９とアウトロール２０との間には、本実施の形態における第２のセンサである、ＣＩＳ(Contact Image Sensor)５０が備えられている。
【００２８】
アウトロール２０の下流側には、第２搬送路３２および第３搬送路３３が設けられ、これらの搬送路を切り替える搬送路切替ゲート４２、読み込みが終了した原稿を積載させる排出トレイ４０、排出トレイ４０に対して原稿を排出させる第１排出ロール２１を備えている。また、第３搬送路３３を経由した原稿に対してスイッチバックさせる第４搬送路３４、第４搬送路３４に設けられ、実際に原稿のスイッチバックを行うインバータロール２２およびインバータピンチロール２３、第４搬送路３４によってスイッチバックされた原稿を再度、プレレジロール１７等を備える第１搬送路３１に導く第５搬送路３５、第４搬送路３４によってスイッチバックされた原稿を排出トレイ４０に排出する第６搬送路３６、第６搬送路３６に設けられ、反転排出される原稿を第１排出ロール２１まで搬送する第２排出ロール２４、第５搬送路３５および第６搬送路３６の搬送経路を切り替える出口切替ゲート４３を備えている。
【００２９】
ナジャーロール１３は、待機時にはリフトアップされて退避位置に保持され、原稿搬送時にニップ位置(原稿搬送位置)へ降下して原稿トレイ１１上の最上位の原稿を搬送する。ナジャーロール１３およびフィードロール１４は、フィードクラッチ(図示せず)の連結によって原稿の搬送を行う。プレレジロール１７は、停止しているレジロール１８に原稿先端を突き当ててループを作成する。レジロール１８では、ループ作成時に、レジロール１８に噛み込んだ原稿先端をニップ位置まで戻している。このループが形成されると、バッフル４１は支点を中心として開き、原稿のループを妨げることのないように機能している。また、テイクアウェイロール１６およびプレレジロール１７は、読み込み中におけるループを保持している。このループ形成によって、読み込みタイミングの調整が図られ、また、読み込み時における原稿搬送に伴うスキューを抑制して、位置合わせの調整機能を高めることができる。読み込みの開始タイミングに合わせて、停止されていたレジロール１８が回転を開始し、プラテンロール１９によって、第２プラテンガラス７２Ｂ(後述)に押圧されて、下面方向から画像データが読み込まれる。
【００３０】
搬送路切替ゲート４２は、片面原稿の読み取り終了時、および両面原稿の両面同時読み取りの終了時に、アウトロール２０を経由した原稿を第２搬送路３２に導き、排出トレイ４０に排出するように切り替えられる。一方、この搬送路切替ゲート４２は、両面原稿の順次読み取り時には、原稿を反転させるために、第３搬送路３３に原稿を導くように切り替えられる。インバータピンチロール２３は、両面原稿の順次読み取り時に、フィードクラッチ(図示せず)がオフの状態でリトラクトされてニップが開放され、原稿をインバータパス(第４搬送路３４)へ導いている。その後、このインバータピンチロール２３はニップされ、インバータロール２２によってインバートする原稿をプレレジロール１７へ導き、また、反転排出する原稿を第６搬送路３６の第２排出ロール２４まで搬送している。
【００３１】
スキャナ装置７０は、上述した原稿送り装置１０を載置可能に構成されると共に、この原稿送り装置１０を装置フレーム７１によって支え、また、原稿送り装置１０によって搬送された原稿の画像読み取りを行っている。このスキャナ装置７０は、筐体を形成する装置フレーム７１に、画像を読み込むべき原稿を静止させた状態で載置する第１プラテンガラス７２Ａ、原稿送り装置１０によって搬送中の原稿を読み取るための光の開口部を形成する第２プラテンガラス７２Ｂが設けられている。
【００３２】
また、スキャナ装置７０は、第２プラテンガラス７２Ｂの下に静止し、および第１プラテンガラス７２Ａの全体に亘ってスキャンして画像を読み込むフルレートキャリッジ７３、フルレートキャリッジ７３から得られた光を像結合部へ提供するハーフレートキャリッジ７５を備えている。フルレートキャリッジ７３には、原稿に光を照射する照明ランプ７４、原稿から得られた反射光を受光する第１ミラー７６Ａが備えられている。更に、ハーフレートキャリッジ７５には、第１ミラー７６Ａから得られた光を結像部へ提供する第２ミラー７６Ｂおよび第３ミラー７６Ｃが備えられている。更に、スキャナ装置７０は、第３ミラー７６Ｃから得られた光学像を光学的に縮小する結像用レンズ７７、結像用レンズ７７によって結像された光学像を光電変換するＣＣＤ(Charge Coupled Device)イメージセンサ７８、ＣＣＤイメージセンサ７８を備える駆動基板７９を備え、ＣＣＤイメージセンサ７８によって得られた画像信号は駆動基板７９を介して処理装置８０に送られる。
【００３３】
ここで、まず、第１プラテンガラス７２Ａに載置された原稿の画像を読み取る場合には、フルレートキャリッジ７３とハーフレートキャリッジ７５とが、２：１の割合でスキャン方向(矢印方向)に移動する。このとき、フルレートキャリッジ７３の照明ランプ７４の光が原稿の被読み取り面に照射されると共に、その原稿からの反射光が第１ミラー７６Ａ、第２ミラー７６Ｂ、および第３ミラー７６Ｃの順に反射されて結像用レンズ７７に導かれる。結像用レンズ７７に導かれた光は、ＣＣＤイメージセンサ７８の受光面に結像される。ＣＣＤイメージセンサ７８は１次元のセンサであり、１ライン分を同時に処理している。このライン方向(スキャンの主走査方向)の１ラインの読み取りが終了すると、主走査方向とは直交する方向(副走査方向)にフルレートキャリッジ７３を移動させ、原稿の次のラインを読み取る。これを原稿サイズ全体に亘って実行することで、１ページの原稿読み取りを完了させる。
【００３４】
一方、第２プラテンガラス７２Ｂは、例えば長尺の板状構造をなす透明なガラスプレートで構成される。原稿送り装置１０によって搬送される原稿がこの第２プラテンガラス７２Ｂの上を通過する。このとき、フルレートキャリッジ７３とハーフレートキャリッジ７５とは、図１に示す実線の位置に停止した状態にある。まず、原稿送り装置１０のプラテンロール１９を経た原稿の１ライン目の反射光が、第１ミラー７６Ａ、第２ミラー７６Ｂ、および第３ミラー７６Ｃを経て結像用レンズ７７にて結像され、本実施の形態における第１のセンサであるＣＣＤイメージセンサ７８によって画像が読み込まれる。即ち、１次元のセンサであるＣＣＤイメージセンサ７８によって主走査方向の１ライン分を同時に処理した後、原稿送り装置１０によって搬送される原稿の次の主走査方向の１ラインが読み込まれる。原稿の先端が第２プラテンガラス７２Ｂの読み取り位置に到達した後、原稿が第２プラテンガラス７２Ｂの読み取り位置を通過することによって、副走査方向に亘って１ページの読み取りが完了する。
【００３５】
本実施の形態では、フルレートキャリッジ７３とハーフレートキャリッジ７５とを停止させ、第２プラテンガラス７２ＢにてＣＣＤイメージセンサ７８により原稿の第１面の読み取りを行う原稿の搬送時に、同時(時間の完全一致ではなく、同一の原稿搬送時程度の意味) に第２のセンサであるＣＩＳ５０によって、原稿の第２面の読み取りを行うことが可能である。即ち、第１のセンサであるＣＣＤイメージセンサ７８と第２のセンサであるＣＩＳ５０とを用いて、搬送路への原稿の一度の搬送で、この原稿における表裏両面の画像を同時に読み取ることを可能としている。
【００３６】
図２は、ＣＩＳ５０を用いた読み取り構造を説明するための図である。図２に示すように、ＣＩＳ５０は、プラテンロール１９とアウトロール２０との間に設けられる。原稿の片面(第１面、表面)は、第２プラテンガラス７２Ｂに押し当てられ、この第１面の画像はＣＣＤイメージセンサ７８にて読み込まれる。一方、ＣＩＳ５０では、原稿を搬送する搬送路を介して対向する他方の側から、片面(第２面、裏面)の画像が読み込まれる。このＣＩＳ５０は、ガラス５１と、このガラス５１を透過して原稿の第２面に光を照射するＬＥＤ(Light Emitting Diode)５２と、ＬＥＤ５２からの反射光を集光するレンズアレイであるセルフォックレンズ５３と、このセルフォックレンズ５３により集光された光を読み取るイメージセンサであるラインセンサ５４を備えている。ラインセンサ５４としては、ＣＣＤやＣＭＯＳセンサ、密着型センサ等を用いることができ、実寸幅(例えばＡ４長手幅２９７ｍｍ)の画像を読み取ることが可能である。ＣＩＳ５０では、縮小光学系を用いずに、セルフォックレンズ５３とラインセンサ５４を用いて画像の取り込みを行うことから、構造をシンプルにすることができ、且つ、筐体を小型化し、消費電力を低減することができる。尚、カラー画像を読み込む場合には、ＬＥＤ５２にＲ(赤)Ｇ(緑)Ｂ(青)の３色のＬＥＤ光源を組み合わせ、ラインセンサ５４としてＲＧＢ３色用の３列一組のセンサを用いれば良い。第１面の画像の読み込みと同様に、１次元のラインセンサ５４によって主走査方向の１ライン分を同時に処理した後、搬送される原稿における次の主走査方向の１ラインが読み込まれる。このようにして、搬送される原稿の裏面について、副走査方向に亘って１ページの読み取りを行う。
【００３７】
また、ＣＩＳ５０による画像読み取りに際して、この読み取り部を構成する搬送路に、ＣＩＳ５０の筐体から延びる制御部材５５、制御部材５５によって押し付けられた用紙を突き当てる突き当て部材６０を備えている。また、この突き当て部材６０の下流側にはガイド部材６１が設けられている。制御部材５５および突き当て部材６０は、原稿の搬送路に直交する方向に(即ち、原稿送り装置の前面から後面の方向に)、原稿送り装置の前面から後面まで、搬送路の位置に対応して設けられている。
【００３８】
更に、ＣＩＳ５０は、光学結像レンズにセルフォックレンズ５３を採用していることから、焦点(被写界)深度が±０.３ｍｍ程度と浅く、スキャナ装置７０を用いた場合に比べて約１/１３以下の深度となっている。ＣＩＳ５０による読み取りに際しては、原稿の読み取り位置を所定の狭い範囲内に定めることが要求される。そこで、本実施の形態では、制御部材５５を設け、原稿を制御部材５５によって突き当て部材６０に押し当てて搬送し、プラテンロール１９とアウトロール２０との間にある原稿の姿勢を安定的に制御できるように構成した。図２の二点鎖線矢印は、制御部材５５を設けた場合の用紙の動きを示したものである。搬送される用紙は、原稿が突き当て部材６０に押し当てられて搬送されることが理解できる。即ち、制御部材５５によって搬送される原稿を突き当て部材６０に押し当てられた状態にて読み取ることで、被写界深度の浅いＣＩＳ５０を用いた場合のピントの甘さを改善している。
【００３９】
次に、図１に示した画像読み取り装置において行われる２つの両面読み取りモード(反転両面読み取りモードおよび両面同時読み取りモード)について説明する。
図３(ａ)〜(ｄ)は、反転パスを用いた反転両面読み取りモードを説明するための図である。原稿トレイ１１に載置された原稿は、図３(ａ)に示すように、第１搬送路３１に順次、供給され、図１に示すスキャナ装置７０のＣＣＤイメージセンサ７８を用いて、プラテンロール１９の箇所にて下方から読み取りがなされる。そして、搬送路切替ゲート４２によって第３搬送路３３を経由し、第４搬送路３４へ移動する。第３搬送路３３を完全に抜けた原稿は、図３(ｂ)に示すように、インバータロール２２およびインバータピンチロール２３によってスイッチバックし、第５搬送路３５に供給される。
【００４０】
第５搬送路３５に供給された原稿は、再度、第１搬送路３１に供給される。そして、図３(ｃ)に示すように、原稿がスキャナ装置７０のＣＣＤイメージセンサ７８によって下方から読み取られる。このとき、原稿は、図３(ａ)に示す場合とは表裏が反転した状態にあり、第１面とは表裏を異ならせる第２面が読み取られることとなる。第２面が読み取られた原稿は、表裏が反転された状態にあり、そのまま排出トレイ４０に排出すると積載された読み取り後の原稿のページ順が狂うことになる。そこで、図３(ｃ)に示すように、第２面の読み取りが完了した原稿を搬送路切替ゲート４２を用いて第３搬送路３３を経由させ、第４搬送路３４に移動する。第４搬送路３４に供給され、出口切替ゲート４３の部分を完全に通過した原稿は、図３(ｄ)に示すように出口切替ゲート４３によって第６搬送路３６を経由し排出トレイ４０に排出される。これによって、原稿における表面の画像および裏面の画像を、反転パスを用いて順次、読み取った場合に、読み取り後の原稿のページ順を揃えることが可能となる。尚、このような反転パスを用いた自動原稿搬送は、片面原稿であっても読み取り位置を特定のものに限定して読み取るような場合などに利用される。
【００４１】
図４(ａ),(ｂ)は、本実施の形態が適用される１パスによる(反転パスを用いない)両面同時読み取りモードを説明するための図である。図４(ａ)に示すように、原稿トレイ１１に載置された原稿は、ナジャーロール１３、フィードロール１４およびリタードロール１５、テイクアウェイロール１６によって、第１搬送路３１に順次、供給される。供給された原稿は、図４(ｂ)に示すように、プラテンロール１９の読み取り部およびＣＩＳ５０の読み取り部を経由して、搬送路切替ゲート４２によって第２搬送路３２に移動し、排出トレイ４０に、順次、排出される。このように、１パスによる両面同時読み取りの場合には、スキャナ装置７０の縮小光学系を介した画像読み取りであるＣＣＤイメージセンサ７８を用いて第１面が読み取られ、同一搬送時にＣＩＳ５０を用いて第２面が読み取られる。これによって、１回の原稿パスによって表裏両面の原稿読み取りを行うことが可能となる。
【００４２】
次に、図１に示す処理装置８０について説明する。
図５は、処理装置８０を説明するためのブロック図である。本実施の形態が適用される処理装置８０は、大きく、センサ(ＣＣＤイメージセンサ７８およびラインセンサ５４)から得られた画像情報を処理する信号処理部８１と、原稿送り装置１０およびスキャナ装置７０を制御する制御部９０とを備えている。信号処理部８１は、表面(第１面)を読み取るＣＣＤイメージセンサ７８および裏面(第２面)を読み取るラインセンサ５４からの各々の出力に対して、アナログ信号の処理を行うＡＦＥ(Analog Front End)８２、アナログ信号をディジタル信号に変換するＡＤＣ(Analog to Digital Converter)８３、ディジタル信号に対してシェーディング補正やオフセット補正等の各種処理を施すディジタル処理部８４が２系統、備えられており、表面(第１面)および裏面(第２面)に対して各々、別々にディジタル処理が施される。このディジタル処理部８４により処理されたディジタル信号は、画像処理装置(ＩＰＳ)１００にて解像度変換等の処理がなされ、例えばプリンタ等のＩＯＴ(Image Output Terminal)や、パーソナルコンピュータ(ＰＣ)等のホストシステムへ出力される。
【００４３】
一方、制御部９０は、各種両面読み取りの制御や片面読み取りの制御等を含め、原稿送り装置１０およびスキャナ装置７０の全体を制御する画像読み取りコントロール９１、第１のセンサであるＣＣＤイメージセンサ７８およびＣＩＳ５０を制御するＣＣＤ/ＣＩＳコントロール９２、読み取りタイミングに合わせてＣＩＳ５０のＬＥＤ５２やフルレートキャリッジ７３の照明ランプ７４を制御するランプコントロール９３、スキャナ装置７０におけるモータのオン/オフなどを行いフルレートキャリッジ７３とハーフレートキャリッジ７５とのスキャン動作を制御するスキャンコントロール９４、原稿送り装置１０におけるモータの制御、各種ロールの動作やフィードクラッチの動作、ゲートの切り替え動作等を制御する搬送機構コントロール９５を備えている。これらの各種コントロールからは、原稿送り装置１０およびスキャナ装置７０に対して制御信号が出力され、かかる制御信号に基づいて、これらの動作制御が可能となる。画像読み取りコントロール９１は、ホストシステムからの制御信号や、例えば自動選択読み取り機能に際して検出されるセンサ出力、ユーザからの選択等に基づいて、読み取りモードを設定し、原稿送り装置１０およびスキャナ装置７０を制御している。読み取りモードとしては、前述のような、１パス(反転なし)による両面同時読み取りモード、反転パスによる反転両面読み取りモード、１パスによる片面読み取りモード等が考えられる。
【００４４】
次に、画像処理装置１００の機能および動作について説明する。
図６は、本実施の形態が適用される画像処理装置１００の構成を示したブロック図である。画像処理装置１００は、ＣＣＤイメージセンサ７８から得られ、ディジタル処理部８４によってディジタル化された表面(第１面)の画像データを処理する第１画像処理部１０１、ＣＩＳ５０から得られ、ディジタル処理部８４によってディジタル化された裏面(第２面)の画像データを処理する第２画像処理部１０２、データの並び替え等の処理を実行する第３画像処理部１０３、第１画像処理部１０１にて画像処理された表面画像データを格納する第１メモリ１０４、この第１メモリ１０４を制御する第１メモリコントローラ１０５、第２画像処理部１０２にて画像処理された裏面画像データを格納する第２メモリ１０６、この第２メモリ１０６を制御する第２メモリコントローラ１０７を備えている。
【００４５】
ＣＣＤイメージセンサ７８から得られた表面(第１面)の画像は、第１画像処理部１０１で、必要に応じて例えば解像度変換等が実行されて、第１メモリ１０４に書き込まれる。また、システムの構成によっては、鏡像(後述)の生成等が実行される。ＣＩＳ５０から得られた裏面(第２面)の画像は、第２画像処理部１０２で、必要に応じて例えば解像度変換等が実行されて、第２メモリ１０６に書き込まれる。また、システムの構成によっては、鏡像(後述)の生成等が実行される。第１メモリ１０４に記憶された表面の画像データは、第１メモリコントローラ１０５によって、例えば１８０°ローテーション(後述)等が実行される。また、第２メモリ１０６に記憶された裏面の画像データは、第２メモリコントローラ１０７によって、例えば１８０°ローテーション等が同様に実行される。
【００４６】
ここで、通常の画像処理において、処理の生産性を上げるために、例えば、Ｏｄｄ/Ｅｖｎといった偶数/奇数の２系統の画像処理が採用されている。例えば、このＯｄｄ/Ｅｖｎで裏面画像を第２メモリ１０６へ書き込み、１８０°ローテーションを実行すると、Ｅｖｎ/Ｏｄｄの並びとなってしまうことから、第３画像処理部１０３では、もとの並びに戻す処理を実施している。尚、表裏両面のレジストレーションの方向を合わせる(レジ合わせ)だけであれば、メモリおよびメモリコントローラは、各１個だけで済む場合もある。しかしながら、例えば、片面の画像読み取りの生産性を１００％として、両面の画像読み取りを行うことで生産性を２００％とするような場合には、かかる２００％生産性のレジ合わせの実施には、本実施の形態のように、表裏各々の２組のメモリ(第１メモリ１０４と第２メモリ１０６)および２組のメモリコントローラ(第１メモリコントローラ１０５と第２メモリコントローラ１０７)を設けることが好ましい。
【００４７】
次に、読み取りのレジストレーション位置(レジ位置)合わせについて、図７〜図１０を用いて説明する。
ここでは、説明の前提として、読み込まれる両面原稿は、冊子としてビジネス上で最も頻繁に用いられる左右開きで天が上の場合、即ち、原稿の長手方向(例えばＡ４サイズ２１０×２９７の２９７ｍｍである長辺)を綴じた場合を考えて、原稿１枚で見ると、表裏両面の上方向が同一方向にあり、所定の短手(例えばＡ４サイズでは２１０ｍｍである短辺)が上である場合を例に挙げている。この原稿では、原稿の表裏において、同一の短辺が上となる。また、原稿送り装置１０としては、このような原稿の原稿長辺を原稿トレイ１１の先端に突き当て、原稿の長手方向を主走査方向として搬送された場合(例えばＡ４原稿であれば、Ａ４ＬＥＦ：Long Edge Feed)を前提としている。また、読み取りが行われる両面原稿の束は、図１に示した原稿トレイ１１上に、１ページ目を上にして載置されるものとする。更に、図７〜図１０に示す例では、両面にアルファベットの「Ｆ」の文字が、短辺を上にして全面に描かれており、第１面である表面を上にして原稿トレイ１１上に原稿が載置された場合には、載置された原稿は、「Ｆ」の文字の縦棒近傍の長辺から順に、読み取り位置からフィードされる。尚、画像の回転処理、鏡像処理に際して、用いられるメモリは、第１メモリ１０４および第２メモリ１０６であることを前提としているが、各画像処理部や各コントローラに所定の作業用メモリを設け、これらを利用して処理を実行しても構わない。
【００４８】
図７(ａ),(ｂ)は、原稿を反転させ、縮小光学系を用いたＣＣＤイメージセンサ７８だけで表裏両面の画像を読み取る反転両面読み取りモードのレジ位置を説明するための図である。図７(ａ)は表面画像を読み取って出力するまでの表面画像処理を、図７(ｂ)は裏面画像を読み取って出力するまでの裏面画像処理を示している。この図７(ａ),(ｂ)では、第１の読み取り位置である第２プラテンガラス７２Ｂの読み取り位置に搬送された原稿を、装置のリア側(奥側)を読み込みレジ位置として、このレジ位置からライン単位で画像の読み込みが行われている。第１の読み取り位置では、プラテンロール１９に対向する下側から第２プラテンガラス７２Ｂを透過して光が照射され、第２プラテンガラス７２Ｂを介して下方から原稿が読み込まれる。そのために、原稿の第１面(表面)が第１の読み取り位置に到達した場合には、この表面に形成されている文字「Ｆ」は、図７(ａ−１)に示すように、反転された状態で、読み込みレジ位置から原稿が読み取られる。図７(ａ−１)には、このときの原稿搬送方向、読み込みレジ位置、主走査方向、およびライン単位で原稿搬送によって順に読み込まれる副走査方向が示されている。
【００４９】
図７(ａ−１)の破線矢印に示すように各ラインにて図の上から下の主走査方向に読み取られ、副走査方向に１ラインずつ順に読み込まれた表面画像は、図６に示した第１メモリ１０４に、図７(ａ−２)に示すような状態で、順に格納される。図７(ａ−２)では、第１メモリ１０４のアドレス０番地から順に、図の破線矢印に示すような順番で画像が格納される様子が示されている。ここで、このようにして第１メモリ１０４に格納された画像について、書き込み順のまま読み出すと、出力画像が左右反転した状態となってしまう。そこで、正像を得るために、本実施の形態では、例えば第１メモリコントローラ１０５によって、図７(ａ−３)に示すような主走査方向の鏡像処理が実施され、第１メモリ１０４に格納される。そして、表面画像を出力する際には、アドレス０番地から順に読み出される。図７(ａ−４)には、例えば、画像出力装置(ＩＯＴ)から出力される表面出力画像が示されている。尚、画像出力装置(ＩＯＴ)の書き込み位置(レジ)によっては、鏡像処理が不要となる場合もある。
【００５０】
一方、図３に示したような反転パスを用いて搬送された用紙の裏面は、表面と同様に第１の読み取り位置に到達する。その結果、画像に対する読み取りレジの位置方向は、表裏が同じとなり、裏面画像処理を示す図７(ｂ−１)〜図７(ｂ−４)に示す流れは、表面画像処理である図７(ａ−１)〜図７(ａ−４)と同じになる。また、図７(ａ−４)と図７(ｂ−４)とを比較して明らかなように、表裏とも、出力画像は同じ方向で出力される。
【００５１】
次に、同時両面にて画像読み取りを実施した場合について説明する。
図８(ａ),(ｂ)は、両面同時読み取りモードにおいて、表裏の出力状態を意識せずに、そのまま出力した場合を説明するための図である。両面同時読み取りの場合には、図４(ａ),(ｂ)に示したような流れによって、第２の読み取り位置にて、裏面画像がＣＩＳ５０にて読み取られる。第１の読み取り位置にて表面の画像を読み取る方法は、図７に示した反転両面読み取りモードと同様である。従って、図８(ａ)に示す表面画像処理は、図７(ａ)に示したものと全く同一となる。
【００５２】
ＣＩＳ５０にて、同時に裏面を読み取る場合、第２の読み取り位置では、図８(ｂ−１)に示すような状態で裏面画像が読み込まれる。尚、ここでは、ＣＩＳ５０による読み込みレジの位置を図８(ｂ−１)の右上、即ち、読み込みレジを原稿送り装置１０のリア側(奥側)としている。図８(ｂ−１)の破線矢印に示すように各ラインにて図の上から下の主走査方向に読み取られ、副走査方向に１ラインずつ順に読み込まれた表面画像は、図６に示した第２メモリ１０６に、図８(ｂ−２)に示すような状態で、読み込みレジから順番に格納される。図８(ｂ−２)では、図の破線矢印に示すような順番で、第２メモリ１０６に対してアドレス０番地から順に画像が格納される様子が示されている。このようにして第２メモリ１０６に格納された画像について、書き込み順のまま読み出すと、図８(ｂ−３)に示すような正像が得られる。但し、裏面出力画像は、図８(ａ−４)に示す表面出力画像とは、用紙搬送方向に対して異なった状態になる。即ち、表面出力画像と裏面出力画像とは表裏が反転しており、原稿とは異なった状態で出力されている。
【００５３】
そこで、本実施の形態では、図９および図１０に示すように、両面同時読み取りモードであっても、図７に示した反転両面読み取りモードと同様な出力状態となるように、即ち、出力画像の向きを合わせるように、画像処理を施すことを可能としている。
図９(ａ),(ｂ)は、両面同時読み取りモードにおいて裏面のレジ合わせを実施した処理例を示した図であり、ＣＩＳ５０の読み込みレジ位置がリア側(奥側)にある場合を示している。図９(ａ)に示す縮小光学系を用いたＣＣＤイメージセンサ７８による表面読み取りの画像処理は、図７(ａ)、図８(ａ)に示したものと同一である。
【００５４】
図９(ｂ)を用いて、裏面の画像処理を順次、説明する。まず、図９(ｂ−１)に示すＣＩＳ５０による読み取りは、図８(ｂ−１)に示したものと同様である。また、図９(ｂ−２)に示すメモリへの記憶では、図８(ｂ−２)にて説明したものと同様に、図の破線矢印に示すような順番で、第２メモリ１０６に対してアドレス０番地から順に画像が格納される。この状態では、図９(ａ−２)に示す表面の蓄積画像に対して、副走査方向の鏡像状態で裏面画像がメモリに格納されている。その後、第２メモリコントローラ１０７によって１８０°ローテーション(１８０°回転処理)が実行され、図９(ｂ−３)に示すような状態にて、第２メモリ１０６に画像が格納される。この状態で、図９(ａ−３)および図９(ｂ−３)に示すように、メモリ上での画像が表裏とも同じ状態となる。その後、裏面画像を出力する際には、例えば、第１画像処理部１０１からの指示に基づき、第２メモリコントローラ１０７が、第２メモリ１０６のアドレス０番地から順に画像を読み出す。その結果、裏面出力画像は、図９(ｂ−４)に示すようになり、表面出力画像である図９(ａ−４)と同じ状態となる。
【００５５】
尚、本実施の形態では、ＣＩＳ５０の読み込みレジ位置がフロント側(手前側)にある場合でも、出力後の画像を反転パス時と同じ状態とすることができる。
図１０(ａ),(ｂ)は、両面同時読み取りモードにおいて裏面のレジ合わせを実施した処理例を示した図であり、ＣＩＳ５０の読み込みレジ位置がフロント側(手前側)にある場合を示している。図１０(ａ)に示す縮小光学系を用いたＣＣＤイメージセンサ７８による表面読み取りの画像処理は、図７(ａ)、図８(ａ)、図９(ａ)に示したものと同一である。
【００５６】
図１０(ｂ)を用いて、裏面の画像処理を順次、説明する。ＣＩＳ５０にて、同時に裏面を読み取る場合、第２の読み取り位置では、図１０(ｂ−１)に示すような状態で裏面画像が読み込まれる。ここでは、ＣＩＳ５０による読み込みレジの位置を図１０(ｂ−１)の右下、即ち、読み込みレジを原稿送り装置１０のフロント側(手前側)としている。図１０(ｂ−１)の破線矢印に示すように各ラインにて図の下から上の主走査方向に読み取られ、副走査方向に１ラインずつ順に読み込まれた表面画像は、図６に示した第２メモリ１０６に、図１０(ｂ−２)に示すような状態で、読み込みレジ位置から順番に格納される。図１０(ｂ−２)では、図の破線矢印に示すような順番で、第２メモリ１０６に対してアドレス０番地から順に画像が格納される様子が示されている。図１０(ｂ−２)に示す状態では、図１０(ａ−２)に示すような表面画像の記憶状態に比較して、１８０°反転された状態にある。そこで、第２メモリコントローラ１０７は、１８０°ローテーションを実行し、図１０(ｂ−３)に示す状態にて、第２メモリ１０６に裏面画像を格納する。その後は、図１０(ａ−３)と同様に、正像を得るために、例えば第２メモリコントローラ１０７によって、図１０(ｂ−４)に示すような主走査方向の鏡像処理が実施され、第２メモリ１０６に格納される。メモリ上での画像が表裏とも同じ状態となっているので、出力後の画像は、図１０(ａ−４)と図１０(ｂ−５)とで同じ状態とすることができる。尚、図１０(ｂ−２)と図１０(ｂ−４)とは、副走査方向の鏡像であることから、図１０(ｂ−３)を経由せずに、図１０(ｂ−２)にて副走査方向の鏡像処理を実行し、直接、図１０(ｂ−４)の状態にすることも可能である。
【００５７】
尚、図７〜図１０に示す例では、原稿の両面画像状態として、左右開きの天が上で、綴じ辺を原稿送りの先端(または後端)とした場合を例に挙げて説明したが、本実施の形態では、かかる場合に限られるものではない。左右開きの天が上で、上または下の辺を原稿送りの先端(または後端)とした場合や、上下開きの天が上で、綴じ辺を原稿送りの先端(または後端)とした場合、上下開きの天が上で、左または右の辺を原稿送りの先端(または後端)とした場合も考えられる。このように、両面原稿の表裏画像状態や、原稿の搬送方向を変えた場合でも、回転処理や鏡像処理を実行することで、両面同時読み取り使用時に、出力画像の表裏状態を自由に設定することが可能である。
【００５８】
以上、詳述したように、本実施の形態によれば、反転パスを用いて同一側から表裏両面の画像を読み込む反転両面読み取りモードと、原稿搬送路上の一方側および他方側から、反転パスを用いずに一回の原稿搬送で表裏両面の画像を読み込む、所謂両面同時読み取りモードとにおいて、出力用紙搬送方向に対して同一画像を出力すること、即ち、向きを同じにすることが可能となり、ユーザはこれらを意識する必要がない。また、読み取った画像をＰＣ等の大容量記憶装置に格納する場合であっても、各両面読み取りモードで同一状態の画像を格納することができ、ユーザの使い勝手を向上させることができる。更に、両面原稿の表裏画像状態や、原稿の搬送方向を変えた場合でも、１８０°ローテーション等の回転処理や鏡像処理を実行することで、両面同時読み取り使用時に、出力画像の表裏状態を最適化することが可能となる。
【００５９】
〔実施の形態２〕
実施の形態２では、拡大処理に応じたモードの選択について説明する。尚、実施の形態１と同様の機能については同様の符号を用い、ここではその説明を省略する。
【００６０】
本実施の形態が適用される画像読み取り装置において、拡大処理を行う場合には、主走査方向(ライン方向)と副走査方向(原稿の搬送方向)とで、異なった画像処理が実行される。主走査方向の拡大処理では、例えば等倍に読み取られた画像データに対し、例えば１６点投影法等の補間処理が施される。一方、副走査方向の拡大処理では、例えば２００％、４００％等の離散的な拡大率に応じて、例えば原稿の搬送速度を遅くし、機械的に読み取られる画像データを増やすことで所定の画像データが取得される。例えば１４１％の拡大率からなる画像データを出力したい場合には、機械的に取得された例えば２００％の画像データを縮小して１４１％の画像データが得られる。
【００６１】
上述した拡大処理や同様な縮小処理は、図６に示す画像処理装置１００を用いて実行される。ここで、ＣＣＤイメージセンサ７８から得られ、ディジタル処理部８４によってディジタル化された表面(第１面)の画像データは、第１画像処理部１０１によって画像処理が施され、第３画像処理部１０３を経由して第１メモリ１０４に書き込まれる。また、ＣＩＳ５０から得られ、ディジタル処理部８４によってディジタル化された裏面(第２面)の画像データは、第２画像処理部１０２によって画像処理が施され、第３画像処理部１０３を経由して第２メモリ１０６に格納される。尚、この画像処理装置１００では、拡大処理や縮小処理(拡縮処理)の他にも各種画像処理が実行される。入力された画像データに対して各種画像処理を施す場合に、拡大処理が施された後に処理されると、画質の劣化がみられる。そこで、高画質化を図るためには、各種画像処理は等倍に近い画像データに対して施される。所定の画像処理が施された画像データは、拡大処理が施されて第１メモリ１０４および第２メモリ１０６に格納される。
【００６２】
このようにして、第１メモリ１０４および第２メモリ１０６に拡大された画像データが格納される。このとき、拡大処理がある場合には、第１メモリ１０４や第２メモリ１０６は拡大率に応じたメモリ容量が必要となる。しかしながら、拡大率に応じてメモリ容量を確保することは、商品コストの大幅な上昇を招くこととなり、好ましくない。そこで、本実施の形態では、例えばＡ５からＡ３への拡大等、定形原稿の拡大率を考慮して、２００％以下の拡大か否かで処理を切り替えるように構成している。
【００６３】
即ち、実施の形態１で述べたように、本実施形態の原稿送り装置１０は、反転パスを用いた反転両面読み取りモードと、両面同時読み取りモードを備えているが、読み取りレジストレーション位置が表面と裏面とで違っているため、反転パスを使用して両面原稿を複写した場合の裏面出力画像(表面読み取りと同じレジストレーション位置となる)と、同時両面機能で複写した裏面出力画像(裏面専用センサであるＣＩＳ５０による読み取り)とのレジストレーション位置が異なってしまう。これは、同一原稿にかかわらず、読み取り方法によって出力画像方向が違うこととなり、ユーザへ違和感を与えてしまう。そこで、実施の形態１に示すように、１８０°ローテーション、また、場合によっては、主走査方向の鏡像処理、副走査方向の鏡像処理を施し、反転両面読み取りモードと両面同時読み取りモードとで出力要旨搬送方向に対して同一画像を出力することを可能としている。しかしながら、表面と裏面とのレジストレーション位置が１８０°違うために、拡大処理がある場合には、拡大率に応じたメモリ容量が必要になる。そこで、本実施の形態では、定形原稿の拡大率(例えばＡ５→Ａ３の拡大等)を考慮して、２００％以下の拡大は生産性を優先して両面同時読み取りモードを選択し、２００％を超える場合(２０１％以上の場合)には、コスト削減等のために、反転パスを用いた反転両面読み取りモードを選択するように、処理を切り替えるように構成した。尚、拡大された画像データに対する１８０°ローテーションは、メモリ(第１メモリ１０４や第２メモリ１０６)への格納後の読み出し時や、メモリへの格納時に行われる。
【００６４】
図１１は、図５に示す処理装置８０の画像読み取りコントロール９１にて実行される処理の流れを示したフローチャートである。画像読み取りコントロール９１では、まず、ユーザからの指定やホストシステムからの指定によってなされた倍率が、２００％以下であるか否かが判断される(ステップ２０１)。２００％以下である場合には、拡大された画像データが格納されるメモリ(第１メモリ１０４や第２メモリ１０６)が許容範囲内であると判断し、レジ合わせ(レジストレーション位置合わせ)をした複写を実施して(ステップ２０２)、処理が終了する。一方、２００％を超える場合には、レジ合わせ(レジストレーション位置合わせ)をするか否かを、ユーザの指定等から判断する(ステップ２０３)。場合によっては、ユーザに問い合わせるための表示を行ってもよい。例えばユーザからの指示によってレジ合わせを行う場合には、メモリ容量の関係からメモリ(第１メモリ１０４や第２メモリ１０６)を用いた１８０°ローテーションができないことから、反転パスを用いた反転両面読み取りモードの読み取りによる複写が実施されて(ステップ２０４)、処理が終了する。レジ合わせが必要でない場合には、レジ合わせのない、例えば、両面同時読み取りモードの読み取りによる複写が実施されて(ステップ２０５)、処理が終了する。
【００６５】
このように、実施の形態２によれば、大きな拡大率の場合は反転パスを利用した反転両面読み取りモードを実施することで、メモリ量を削減することができる。また、限られたメモリの範囲内において、ユーザ指示等によってレジストレーション位置方向の合わせ(レジ合わせ)の有無を選択することができることから、表裏画質差のない画像の出力が可能となる。また、場合によっては、生産性を優先した処理を行うことも可能となり、ユーザの使い勝手を大幅に向上させることが可能となる。
【図面の簡単な説明】
【００６６】
【図１】本実施の形態が適用される画像読み取り装置を示した図である。
【図２】ＣＩＳを用いた読み取り構造を説明するための図である。
【図３】(ａ)〜(ｄ)は、反転パスを用いた反転両面読み取りモードを説明するための図である。
【図４】(ａ),(ｂ)は、本実施の形態が適用される１パスによる(反転パスを用いない)両面同時読み取りモードを説明するための図である。
【図５】処理装置を説明するためのブロック図である。
【図６】本実施の形態が適用される画像処理装置の構成を示したブロック図である。
【図７】(ａ),(ｂ)は、反転両面読み取りモードのレジ位置を説明するための図である。
【図８】(ａ),(ｂ)は、両面同時読み取りモードにおいて、表裏の出力状態を意識せずに、そのまま出力した場合を説明するための図である。
【図９】(ａ),(ｂ)は、両面同時読み取りモードにおいて裏面のレジ合わせを実施した処理例を示した図である。
【図１０】(ａ),(ｂ)は、両面同時読み取りモードにおいて裏面のレジ合わせを実施した他の処理例を示した図である。
【図１１】図５に示す処理装置の画像読み取りコントロールにて実行される処理の流れを示したフローチャートである。
【符号の説明】
【００６７】
１０…原稿送り装置、１１…原稿トレイ、１９…プラテンロール、５０…ＣＩＳ(Contact Image Sensor)、５２…ＬＥＤ(Light Emitting Diode)、５３…セルフォックレンズ、５４…ラインセンサ、７０…スキャナ装置、７８…ＣＣＤ(Charge Coupled Device)イメージセンサ、８０…処理装置、８１…信号処理部、９０…制御部、１００…画像処理装置(ＩＰＳ)、１０１…第１画像処理部、１０２…第２画像処理部、１０３…第３画像処理部、１０４…第１メモリ、１０５…第１メモリコントローラ、１０６…第２メモリ、１０７…第２メモリコントローラ
【図１】
2005039761.tif 000003
【図２】
2005039761.tif 000004
【図３】
2005039761.tif 000005
【図４】
2005039761.tif 000006
【図５】
2005039761.tif 000007
【図６】
2005039761.tif 000008
【図７】
2005039761.tif 000009
【図８】
2005039761.tif 000010
【図９】
2005039761.tif 000011
【図１０】
2005039761.tif 000012
【図１１】
2005039761.tif 000013